(57)【要約】【課題】低コスト化が図られ、容易に着脱が可能な簡便な構成で、複数の電線を簡単に保護することが可能な電線保護構造を提供する。【解決手段】電線保護構造２０は、弾性を有するシート状材料で構成され、プリント基板１７表面に配設された電線をカバーする形で設けられた電線保護部材２２と、この電線保護部材２２を着脱可能にして保持する保持部２５及びプリント基板１７を支持する支持部材１８に対して着脱可能にして連結する連結部２３が設けられた保持部材２１とを備える。これにより、プリント基板１７と電線保護部材２２としてのシートとの間に電線を配線することができ、またシート状材料一枚で簡単に複数の電線をまとめて配線し、保護することが可能である。したがって、電線保護構造２０の周囲で外装カバーの開閉などが行われても、電線の破損や電線からの漏電を防止することができる。【選択図】図４
2010130808.tif 000002
【特許請求の範囲】
【請求項１】
弾性を有するシート状材料で構成され、プリント基板表面に配設された電線をカバーする形で設けられた電線保護部材と、この電線保護部材を着脱可能にして保持する保持部及び前記プリント基板を支持する支持部材に対して着脱可能にして連結する連結部が設けられた保持部材とを備えることを特徴とする電線保護構造。
【請求項２】
前記保持部材は、前記保持部に、前記電線保護部材に設けられた穴を介して電線保護部材に係合する保持片及び突起を備え、前記連結部に、前記プリント基板の支持部材に設けられた穴を介して支持部材に係合する連結片及び爪部を備えることを特徴とする請求項１に記載の電線保護構造。
【請求項３】
前記電線保護部材は、略直角に折り曲げられた折り曲げ部を備えることを特徴とする請求項１または請求項２に記載の電線保護構造。
【請求項４】
前記電線保護部材は、前記保持部材による保持箇所と対向する箇所から延びる切り込み部を備えることを特徴とする請求項１〜請求項３のいずれか１項に記載の電線保護構造。
【請求項５】
前記電線保護部材は、透明の材料で構成されていることを特徴とする請求項１〜請求項４のいずれか１項に記載の電線保護構造。
【請求項６】
請求項１〜請求項５のいずれか１項に記載の電線保護構造を備えたことを特徴とする画像形成装置。
【発明の詳細な説明】
【技術分野】
【０００１】
本発明は、複数の電線の、雑然とした状態を回避しながら、外力による破損や他部材との接触による漏電に対して保護することが可能な電線保護構造に関する。また、この電線保護構造を搭載した画像形成装置に関する。
【背景技術】
【０００２】
オフィスや家庭などで使用される電子機器には、動作を制御するための様々な電子部品や機能部材が必要であり、複写機やプリンタに代表される画像形成装置も例外ではない。それらのうち、電子部品は、動作制御に必要なパターンが予め形成されたプリント基板にまとめて搭載、接合されている。また、機能部材は、その動作対象となる他部材の近傍に配置されていることが多い。そして、電子部品を擁する制御基板と機能部材との間は、複数の電線によって接続され、電源の供給や信号の授受が行われている。
【０００３】
上記のような電線は、複数の電線が雑然とした状態となるのを回避しながら、外力による破損や他部材との接触による漏電に対する保護を図るため、電子機器の内部構造部材であるベースフレームなどにしっかりとまとめて保持されている。電子機器内部における電線保護構造の例を、特許文献１〜３に見ることができる。特許文献１及び２に記載された電線保護構造は、合成樹脂などで構成された結束材を利用した技術であって、結束材が電線を保持しながら電子機器のフレームに取り付けられている。特許文献３に記載された電線保護構造は、電線を保護すべく収容可能な溝が設けられた樋形状の細長い本体部と、その蓋部とを備えている。
【特許文献１】特許第３６８１６８０号公報（第３−４頁、図１−２）
【特許文献２】特開２００２−２４０３９３号公報（第３−４頁、図１）
【特許文献３】特開２００６−２３０１４９号公報（第３−４頁、図１−３）
【発明の開示】
【発明が解決しようとする課題】
【０００４】
特許文献１及び２に記載された電線保護構造は、結束材によって電線を保持し、保護するということで比較的容易に実施することができ、汎用性があるので、従来一般的に利用され、様々な機器において採用されている。しかしながら、このような電線保護構造は、複数の電線を整然と所望の箇所で保持するために、多数の結束材が必要となる。これにより、部品コストが増加し、組み立て工数及び手間も増加することが懸念される。
【０００５】
また、隣り合う結束材の間は、比較的広範囲において電線が露出しているので、フレームに他の部材を取り付けたり、外装カバーを開閉したりすることで、その箇所において他部材や外装カバーが電線に接触する可能性がある。それにより、電線に外力が掛かって電線が破損したり、他部材や外装カバーとの接触によって電線から漏電したりする恐れがある。
【０００６】
一方、特許文献３に記載された電線保護構造は、溝を備える樋形状の細長い本体部に、長手方向に沿って延びる切り込みを備える弾性を有する蓋部を設け、この蓋部を弾性変形させながら、切り込みから本体部内に対して電線を出し入れすることにより、結束材を用いることなく複数の電線をまとめて配線して、保護することができ、電線の出し入れも容易である。しかしながら、この構成は、複数の電線の配線し易さ、及び保護という観点から有利であるものの、本体部をモールドとして機器のフレームなどに予め形成したり、本体部をフレームに固定したりする必要がある。これにより、電子機器が大型化する恐れがあり、それに起因するコストアップも懸念される。
【０００７】
さらに、特許文献３に記載された電線保護構造は、電線保護構造自体が着脱可能であるわけではない。したがって、電線保護構造が機器のメンテナンスの際に邪魔になったり、電線保護構造自体の交換が困難、或いは不可能であったりする可能性がある。
【０００８】
本発明は上記の点に鑑みなされたものであり、低コスト化が図られ、容易に着脱が可能な簡便な構成で、複数の電線を簡単に保護することが可能な電線保護構造を提供することを目的とする。また、このような電線保護構造を備え、組み立て性及びメンテナンス性が向上し、さらに安全性が高められた画像形成装置を提供することを目的とする。
【課題を解決するための手段】
【０００９】
上記の課題を解決するため、本発明は、電線保護構造において、弾性を有するシート状材料で構成され、プリント基板表面に配設された電線をカバーする形で設けられた電線保護部材と、この電線保護部材を着脱可能にして保持する保持部及び前記プリント基板を支持する支持部材に対して着脱可能にして連結する連結部が設けられた保持部材とを備えることとした。
【００１０】
また、上記構成の電線保護構造において、前記保持部材は、前記保持部に、前記電線保護部材に設けられた穴を介して電線保護部材に係合する保持片及び突起を備え、前記連結部に、前記プリント基板の支持部材に設けられた穴を介して支持部材に係合する連結片及び爪部を備えることとした。
【００１１】
また、上記構成の電線保護構造において、前記電線保護部材は、略直角に折り曲げられた折り曲げ部を備えることとした。
【００１２】
また、上記構成の電線保護構造において、前記電線保護部材は、前記保持部材による保持箇所と対向する箇所から延びる切り込み部を備えることとした。
【００１３】
また、上記構成の電線保護構造において、前記電線保護部材は、透明の材料で構成されていることとした。
【００１４】
また本発明では、上記構成の電線保護構造を画像形成装置に備えることとした。
【発明の効果】
【００１５】
本発明の構成によれば、電線保護構造が、弾性を有するシート状材料で構成され、プリント基板表面に配設された電線をカバーする形で設けられた電線保護部材と、この電線保護部材を着脱可能にして保持する保持部及び前記プリント基板を支持する支持部材に対して着脱可能にして連結する連結部が設けられた保持部材とを備えることとしたので、プリント基板と電線保護部材としてのシートとの間に電線を配線することができる。これにより、シート状材料一枚で簡単に複数の電線をまとめて配線し、保護することが可能である。したがって、電線保護構造の周囲で外装カバーの開閉などが行われても、電線の破損や電線からの漏電を防止することができる。また、保持部材は、保持部で電線保護部材が着脱可能であり、連結部でプリント基板の支持部材に対して着脱可能であるので、機器のメンテナンスや電線保護構造自体の交換が容易に遂行できる。そして、電線保護部材は、電子機器のフレーム形状に柔軟に対応できるので、電線保護構造の配置スペースをできるだけ小さくすることが可能である。さらに、柔軟なシート状材料である電線保護部材は、電線を締め付けることがないので、電源の供給や信号の授受に悪影響を与えるようなストレスが電線に掛かるのを防止することが可能である。このようにして、低コスト化が図られ、容易に着脱が可能な簡便な構成で、複数の電線を簡単に保護することが可能な電線保護構造を提供することができる。
【００１６】
また、前記保持部材は、前記保持部に、前記電線保護部材に設けられた穴を介して電線保護部材に係合する保持片及び突起を備え、前記連結部に、前記プリント基板の支持部材に設けられた穴を介して支持部材に係合する連結片及び爪部を備えることとしたので、保持部の保持片と電線保護部材の穴とを着脱、及び連結部の連結片と支持部材の穴とを着脱することで、電線保護構造を組み立てたり、それを分解、取り外したりするのが容易である。さらに、電線保護部材及び保持部材を、カバーすべき電線に対して位置ずれを起こすことなく、定位置に取り付けることができる。これにより、さらにメンテナンス時や交換時の作業性の向上、及び低コスト化が図られ、複数の電線を一層簡単に保護することが可能な電線保護構造を提供することができる。
【００１７】
また、前記電線保護部材は、略直角に折り曲げられた折り曲げ部を備えることとしたので、プリント基板と電線保護部材との間に電線を配線する作用を高めることができる。すなわち、電線保護部材によって電線をカバーする領域が広がり、電線を電線保護部材の外側の他部材に対して隔離することが可能である。これにより、電線の破損や電線からの漏電を防止する効果が向上して、複数の電線を確実に保護することが可能な電線保護構造を提供することができる。
【００１８】
また、前記電線保護部材は、前記保持部材による保持箇所と対向する箇所から延びる切り込み部を備えることとしたので、保持部材に沿って比較的長い長さで延びる電線保護部材に対して、その電線保護部材の歪み、湾曲を防止することが可能である。これにより、プリント基板と電線保護部材との間に電線を配線する作用をさらに高めることができる。また、切り込み部を境にして部分的に、電線保護部材の内部と外部との間でアクセスできるようにすることができる。これにより、電線保護部材の不必要な箇所を開放することなく、局部的なメンテナンスを実行することが可能である。したがって、一層効果的に電線を保護することができる。
【００１９】
また、前記電線保護部材は、透明の材料で構成されていることとしたので、電線保護部材を保持部材に取り付けた状態で、電線などの被保護部材を視認することが可能である。これにより、電線保護構造を組み立てる際、被保護部材の配置を確認しながら組み立てることができ、さらに被保護部材に不具合が発生した際、その状況を外側から一目で把握することが可能である。したがって、電線保護構造は、効果的に電線を保護することができ、且つ組み立て性及びメンテナンス性がより一層向上する。
【００２０】
また本発明では、上記構成の電線保護構造を画像形成装置に備えることとしたので、低コスト化が図られ、容易に着脱が可能な簡便な構成の電線保護構造で、複数の電線を簡単に保護することが可能になり、組み立て性及びメンテナンス性が向上し、さらに安全性が高められた画像形成装置を提供することができる。
【発明を実施するための最良の形態】
【００２１】
以下、本発明の実施形態を図１〜図８に基づき説明する。
【００２２】
最初に、本発明の実施形態に係る電線保護構造を備えた画像形成装置について、図１〜図３を用いてその構造の概略を説明しつつ、画像出力動作を説明する。図１は画像形成装置の模型的垂直断面正面図、図２は外装カバーを取り外した画像形成装置を背面側から見た部分斜視図、図３は図２と同様の画像形成装置を背面側から見た部分斜視図にして、電線保護構造を取り外した状態を示すものである。この画像形成装置は、中間転写ベルトを用いてトナー像を用紙に転写するカラー印刷タイプのものである。
【００２３】
図１に示すように、画像形成装置１の本体２の内部下方には、給紙カセット３が配置されている。給紙カセット３は、その内部に、印刷前のカットペーパー等の用紙Ｐを積載して収容している。そして、この用紙Ｐは、図１において給紙カセット３の左上方に向けて、１枚ずつ分離されて送り出される。給紙カセット３は、本体２の前面側から水平に引き出すことが可能である。
【００２４】
本体２の内部であって、給紙カセット３の左方には、第１用紙搬送部４が備えられている。第１用紙搬送部４は、本体２の左側面に沿って略垂直に形設されている。そして、第１用紙搬送部４は、給紙カセット３から送り出された用紙Ｐを受け取り、本体２の左側面に沿って垂直上方に二次転写部１１まで搬送する。
【００２５】
給紙カセット３の上方であって、第１用紙搬送部４が形設された本体２の左側面とは反対側の側面である右側面の箇所には、手差し給紙部５が備えられている。手差し給紙部５には、給紙カセット３に入っていないサイズの用紙や、厚紙、ＯＨＰシートのように１枚ずつ手で送り込みたいものが載置される。
【００２６】
手差し給紙部５の左方には、第２用紙搬送部６が備えられている。第２用紙搬送部６は、給紙カセット３のすぐ上方にあって、手差し給紙部５から第１用紙搬送部４まで略水平に延び、第１用紙搬送部４に合流している。そして、第２用紙搬送部６は、手差し給紙部５から送り出された用紙Ｐ等を受け取り、略水平に第１用紙搬送部４まで搬送する。
【００２７】
一方、画像形成装置１は、外部コンピュータ（図示せず）から原稿画像データを受信する。この画像データの情報は、第２用紙搬送部６の上方に配置された露光手段である光走査装置７に送られる。光走査装置７により、画像データに基づいて制御されたレーザ光Ｌが、画像形成部８に向かって照射される。
【００２８】
光走査装置７の上方には計４台の画像形成部８が、さらにそれら各画像形成部８の上方には中間転写体を無端ベルトの形で用いた中間転写ベルト９が備えられている。中間転写ベルト９は、複数のローラに巻き掛けられて支持され、図示しない駆動装置により図１において時計方向に回転する。
【００２９】
４台の画像形成部８は、中間転写ベルト９の回転方向に沿って、回転方向上流側から下流側に向けて一列にして配置された所謂タンデム方式である。４台の画像形成部８とは、上流側から順に、マゼンタ用の画像形成部８Ｍ、シアン用の画像形成部８Ｃ、イエロー用の画像形成部８Ｙ、及びブラック用の画像形成部８Ｂである。これらの画像形成部８には、各色に対応する現像剤供給容器及び搬送手段（図示せず）により、現像剤（トナー）が補給される。なお、以下の説明において、特に限定する必要がある場合を除き、「Ｍ」「Ｃ」「Ｙ」「Ｂ」の識別記号は省略するものとする。
【００３０】
各画像形成部８では、露光手段である光走査装置７によって照射されたレーザ光Ｌにより原稿画像の静電潜像が形成され、この静電潜像からトナー像が現像される。トナー像は、各画像形成部８の上方に備えられた一次転写部１０で、中間転写ベルト９表面に一次転写される。そして、中間転写ベルト９の回転とともに、所定のタイミングで各画像形成部８のトナー像が中間転写ベルト９に転写されることにより、中間転写ベルト９表面にはマゼンタ、シアン、イエロー、ブラックの４色のトナー像が重ね合わされたカラートナー像が形成される。
【００３１】
中間転写ベルト９が用紙搬送路に懸かる箇所には、二次転写部１１が配置されている。この二次転写部１１において、中間転写ベルト９表面に一旦担持されたカラートナー像が、第１用紙搬送部４によって同期をとって送られてきた用紙Ｐに二次転写される。
【００３２】
二次転写後、中間転写ベルト９表面に残留するトナーなどの付着物は、中間転写ベルト９に対してマゼンタ用の画像形成部８Ｍの回転方向上流側に設けられた中間転写ベルト９用のクリーニング装置１２によってクリーニング、回収される。
【００３３】
二次転写部１１の上方には、定着装置１３が備えられている。二次転写部１１にて未定着トナー像を担持した用紙Ｐは、定着装置１３へと送られ、熱ローラと加圧ローラとによりトナー像が加熱、加圧されて定着される。
【００３４】
定着装置１３の上方には、分岐部１４が備えられている。定着装置１３から排出された用紙Ｐは、両面印刷を行わない場合、分岐部１４から画像形成装置１の上部に設けられた用紙排出部１５に排出される。
【００３５】
分岐部１４から用紙排出部１５に向かって用紙Ｐが排出されるその排出口部分は、スイッチバック部１６としての機能を果たす。両面印刷を行う場合には、このスイッチバック部１６において、定着装置１３から排出された用紙Ｐの搬送方向が切り替えられる。そして、用紙Ｐは、分岐部１４、定着装置１３の左方、及び二次転写部１１の左方を通って下方に送られ、再度第１用紙搬送部４を経て二次転写部１１へと送られる。
【００３６】
上記のような構成の画像形成装置１において、図２に示す本発明の電線保護構造２０は、図３に示す画像形成装置１の背面側に設けられたプリント基板１７の表面に配設された電線（図示せず）を保護するために備えられている。
【００３７】
続いて、この電線保護構造２０の詳細な構成について、図２及び図３に加えて、図４〜図８を用いて説明する。図４は電線保護構造周辺を背面側下方から見た斜視図、図５はプリント基板の支持部材及び電線保護構造の保持部材を上方から見た斜視図、図６は電線保護構造の保持部材の部分拡大垂直断面右側面図、図７は電線保護部材と保持部材との分解状態を示す上方から見た斜視図、図８は保持部材の保持部の箇所を示す上方から見た斜視図である。なお、図６は、図５の平面VIの箇所における垂直断面右側面を描画している。
【００３８】
電線保護構造２０は、前述のように、図３に示す画像形成装置１の背面側に設けられたプリント基板１７の表面に配設された電線（図示せず）を保護するために、図２に示すような形で備えられている。図２に示す電線保護構造２０の前方に電線が位置し、後方に外装カバー（図示せず）が位置している。そして、電線保護構造２０は、図２及び図４に示すように、保持部材２１、及び電線保護部材２２を備えている。
【００３９】
保持部材２１は、図３に示すプリント基板１７を支持する支持部材１８に取り付けられている（図４及び図５参照）。なお、プリント基板１７の支持部材１８は、板金などで構成され、画像形成装置１の背面側に設けられて、底面部が画像形成装置１の左右方向に長く延び、水平な薄板形状をなしている。保持部材２１は、このような形状の支持部材１８の、底面部の背面側端部の箇所に設けられている。
【００４０】
保持部材２１は、合成樹脂などで構成され、図２及び図４に示すように、上下方向に延びる壁部を形成しながら、画像形成装置１の左右方向に長く延びる薄板形状をなしている。なお、保持部材２１の右側面側の端部は、前方に向かって折り曲げられている。プリント基板１７に配設された電線は、この折り曲げられた箇所を有する保持部材２１の内側に位置している。そして、保持部材２１は、連結部２３、係止部２４、及び保持部２５を備えている。
【００４１】
連結部２３は、図４〜図６に示すように、保持部材２１の底部の複数箇所に、水平左右方向に並べて配置される形で設けられている。そして、連結部２３は、連結片２３ａと、爪部２３ｂとを備えている。
【００４２】
連結片２３ａは、保持部材２１の底部から、支持部材１８の下側を前方に向かって、略水平に延びている。爪部２３ｂは、この連結片２３ａの先端の上側に設けられ、支持部材１８に設けられた穴１９に係合する。このような構成の連結部２３は、連結片２３ａの先端側の上下に弾性変形させ、爪部２３ｂを支持部材１８の穴１９に対して係合、係合解除することにより、保持部材２１を、支持部材１８に対して左右方向に位置決めしながら、着脱可能にして連結している。
【００４３】
係止部２４は、連結片２３同様、図４〜図６に示すように、保持部材２１の底部の複数箇所に、水平左右方向に並べて配置される形で設けられている。そして、係止部２４は、上側係止片２４ａと、下側係止片２４ｂとを備えている。
【００４４】
上側係止片２４ａは、保持部材２１の底部から、支持部材１８の上側を前方に向かって、略水平に延びている。一方、下側係止片２４ｂは、保持部材２１の底部から、支持部材１８の下側を前方に向かって、略水平に延びている。上側係止片２４ａ及び下側係止片２４ｂは、前方に向かって延びるその長さが連結片２３ａより短く、支持部材１８を上下から挟み込むようにして支持部材１８に係合している。このような構成の係止部２４は、保持部材２１を、支持部材１８に対して上下方向に変位不能にして位置決めしている。
【００４５】
保持部２５は、図４、図５、図７、及び図８に示すように、保持部材２１の、上下方向に延びる壁部の複数箇所に、左右方向に並べて配置される形で設けられている。そして、保持部２５は、保持片２５ａと、突起２５ｂと、凹部２５ｃとを備えている。
【００４６】
保持片２５ａは、保持部材２１の内壁に対して所定の距離を隔てて配置され、保持部材２１の底部から内壁に沿いに上方に向かって、略垂直に延びている。保持部材２１の内壁と保持片２５ａとの間隔は、電線保護部材２２の厚さとほぼ同じ、あるいは電線保護部材２２の厚さよりやや広い距離で設けられている。突起２５ｂは、この保持片２５ａの上部の背面側に、保持部材２１の内壁に向かって延びる形で設けられ、電線保護部材２２に設けられた穴２６（後述、図７及び図８参照）に係合する。凹部２５ｃは、突起２５ｂに対応する箇所に、保持部材２１の内壁から後方側に窪んだ形で設けられ、水平断面がコ字状の、幅が保持片２５ａより広い、上下方向に延びる樋形状にして構成されている。このような構成の保持部２５は、電線保護部材２２を、凹部２５ｃを利用して弾性変形させながら、電線保護部材２２の穴２６を突起２５ｂに対して係合、係合解除することにより、電線保護部材２２を着脱可能にして保持している。
【００４７】
一方、電線保護部材２２は、上述のように、保持部材２１の保持部２５に対して、着脱可能にして保持されている。電線保護部材２２は、ＰＥＴ（ポリエチレンテレフタレート）などの弾性を有する透明の、絶縁性のシート状材料で構成され、図２及び図４に示すように、プリント基板１７側と外装カバー側との間で壁を形成するように立てられている。そして、電線保護部材２２は、図４及び図７に示すように、穴２６、折り曲げ部２７、及び切り込み部２８を備えている。
【００４８】
穴２６は、電線保護部材２２の下部に設けられ、保持部材２１の、保持部２５の突起２５ｂに対応する複数箇所に、左右方向に並べて配置されている。穴２６は、保持部２５の突起２５ｂを受け入れ可能な形状、大きさをなしている。前述のように、保持部２５の凹部２５ｃを利用して、電線保護部材２２を穴２６の箇所で弾性変形させながら、突起２５ｂに対して係合、係合解除することができる（図８参照）。
【００４９】
折り曲げ部２７は、電線保護部材２２の上部に設けられている。折り曲げ部２７の折り目は、略水平に左右方向に延びている。電線保護部材２２は、この折り曲げ部２７において、その上端側が前方に向かって略水平になるように、略直角に折り曲げられている。
【００５０】
切り込み部２８は、電線保護部材２２の上部に設けられている。切り込み部２８は、電線保護部材２２の、保持部材２１による保持箇所と対向する箇所、すなわち上端側から、所定長さで略垂直下方に延びる形で形成されている。切り込み部２８は、左右方向に並べて２箇所に設けられ、電線保護部材２２の上側を左右方向に３分割している。
【００５１】
上記のように、電線保護構造２０は、弾性を有するシート状材料で構成され、プリント基板１７表面に配設された電線をカバーする形で設けられた電線保護部材２２と、この電線保護部材２２を着脱可能にして保持する保持部２５及びプリント基板１７を支持する支持部材１８に対して着脱可能にして連結する連結部２３が設けられた保持部材２１とを備えているので、プリント基板１７と電線保護部材２２としてのシートとの間に電線を配線することができる。これにより、シート状材料一枚で簡単に複数の電線をまとめて配線し、保護することが可能である。したがって、電線保護構造２０の周囲で外装カバーの開閉などが行われても、電線の破損や電線からの漏電を防止することができる。また、保持部材２１は、保持部２５で電線保護部材２２が着脱可能であり、連結部２３でプリント基板１７の支持部材１８に対して着脱可能であるので、機器である画像形成装置１のメンテナンスや電線保護構造２０自体の交換が容易に遂行できる。そして、電線保護部材２２は、画像形成装置１のフレーム形状に柔軟に対応できるので、電線保護構造２０の配置スペースをできるだけ小さくすることが可能である。さらに、柔軟なシート状材料である電線保護部材２２は、電線を締め付けることがないので、電源の供給や信号の授受に悪影響を与えるようなストレスが電線に掛かるのを防止することが可能である。このようにして、低コスト化が図られ、容易に着脱が可能な簡便な構成で、複数の電線を簡単に保護することが可能な電線保護構造２０を提供することができる。
【００５２】
また、保持部材２１は、保持部２５に、電線保護部材２２に設けられた穴２６を介して電線保護部材２２に係合する保持片２５ａ及び突起２５ｂを備え、連結部２３に、プリント基板１７の支持部材１８に設けられた穴１９を介して支持部材１８に係合する連結片２３ａ及び爪部２３ｂを備えているので、保持部２５の保持片２５ａと電線保護部材２２の穴２６とを着脱、及び連結部２３の連結片２３ａと支持部材１８の穴１９とを着脱することで、電線保護構造２０を組み立てたり、それを分解、取り外したりするのが容易である。さらに、電線保護部材２２及び保持部材２１を、カバーすべき電線に対して位置ずれを起こすことなく、定位置に取り付けることができる。これにより、さらにメンテナンス時や交換時の作業性の向上、及び低コスト化が図られ、複数の電線を一層簡単に保護することが可能な電線保護構造２０を提供することができる。
【００５３】
そして、電線保護部材２２は、略直角に折り曲げられた折り曲げ部２７を備えているので、プリント基板１７と電線保護部材２２との間に電線を配線する作用を高めることができる。すなわち、電線保護部材２２によって電線をカバーする領域が広がり、電線を電線保護部材２２の外側の他部材に対して隔離することが可能である。これにより、電線の破損や電線からの漏電を防止する効果が向上して、複数の電線を確実に保護することが可能な電線保護構造２０を提供することができる。
【００５４】
さらに、電線保護部材２２は、保持部材２１による保持箇所と対向する箇所から延びる切り込み部２８を備えているので、保持部材２１に沿って比較的長い長さで延びる電線保護部材２２に対して、その電線保護部材２２の歪み、湾曲を防止することが可能である。これにより、プリント基板１７と電線保護部材２２との間に電線を配線する作用をさらに高めることができる。また、切り込み部２８を境にして部分的に、電線保護部材２２の内部と外部との間でアクセスできるようにすることができる。これにより、電線保護部材２２の不必要な箇所を開放することなく、局部的なメンテナンスを実行することが可能である。したがって、一層効果的に電線を保護することができる。
【００５５】
また、電線保護部材２２は、透明の材料で構成されているので、電線保護部材２２を保持部材２１に取り付けた状態で、電線などの被保護部材を視認することが可能である。これにより、電線保護構造２０を組み立てる際、被保護部材の配置を確認しながら組み立てることができ、さらに被保護部材に不具合が発生した際、その状況を外側から一目で把握することが可能である。したがって、電線保護構造２０は、効果的に電線を保護することができ、且つ組み立て性及びメンテナンス性がより一層向上する。
【００５６】
また本発明では、上記構成の電線保護構造２０を画像形成装置１に備えたので、低コスト化が図られ、容易に着脱が可能な簡便な構成の電線保護構造２０で、複数の電線を簡単に保護することが可能になり、組み立て性及びメンテナンス性が向上し、さらに安全性が高められた画像形成装置１を提供することができる。
【００５７】
以上、本発明の実施形態につき説明したが、本発明の範囲はこれに限定されるものではなく、発明の主旨を逸脱しない範囲で種々の変更を加えて実施することができる。
【００５８】
例えば、画像形成装置１は、上記実施形態では複数色を重ね合わせて画像形成すること可能なタンデム方式のカラー印刷用画像形成装置であるが、このような機種に限定されるわけではなく、ロータリーラック方式のカラー印刷用画像形成装置、或いはブラックトナーのみを使用したモノクロ印刷用の画像形成装置であっても構わない。
【産業上の利用可能性】
【００５９】
本発明は、電線全般に対して利用可能である。
【図面の簡単な説明】
【００６０】
【図１】本発明の実施形態に係る電線保護構造を備えた画像形成装置の模型的垂直断面正面図である。
【図２】外装カバーを取り外した画像形成装置を背面側から見た部分斜視図である。
【図３】図２と同様の画像形成装置を背面側から見た部分斜視図にして、電線保護構造を取り外した状態を示すものである。
【図４】図２の電線保護構造周辺を背面側下方から見た斜視図である。
【図５】図２のプリント基板の支持部材及び電線保護構造の保持部材を上方から見た斜視図である。
【図６】図５の平面VIの箇所における電線保護構造の保持部材の部分拡大垂直断面右側面図である。
【図７】図４の電線保護部材と保持部材との分解状態を示す上方から見た斜視図である。
【図８】図７の保持部材の保持部の箇所を示す上方から見た斜視図である。
【符号の説明】
【００６１】
１    画像形成装置
２    本体
１７  プリント基板
１８  支持部材
１９  穴
２０  電線保護構造
２１  保持部材
２２  電線保護部材
２３  連結部
２３ａ  連結片
２３ｂ  爪部
２５  保持部
２５ａ  保持片
２５ｂ  突起
２６  穴
２７  折り曲げ部
２８  切り込み部
【図１】
2010130808.tif 000003
【図２】
2010130808.tif 000004
【図３】
2010130808.tif 000005
【図４】
2010130808.tif 000006
【図５】
2010130808.tif 000007
【図６】
2010130808.tif 000008
【図７】
2010130808.tif 000009
【図８】
2010130808.tif 000010